(57)【要約】      （修正有）【課題】  ズボン吊りをしていると、長期的には肩等に負担がかかる。  また、背伸びや屈伸等の運動、もしくはそれに近い動きをする事によって、ワイシャツ等の裾がズボン等からはみ出しそうになる。  本発明は、この２つの欠点を解決するためになされたものである。【解決手段】    ワイシャツ等の上着２にズボン吊りの紐を縫い付けたり、貼り付けるなどして接着する。  ワイシャツ等の上着２の、ズボン吊りの紐を縫い付けた部分の、裾の付近、すなわち通常のベルトの位置４より更に下方に、１個か複数個ボタン５かホック状かボタンかホックの穴状のもの６を用意する。  ズボンの側からもそれに対応して、それに合うように１個か複数個ボタン５かホック状かボタンかホックの穴状のもの６を用意する。  【選択図】              図１
2006022456.tif 000002
【特許請求の範囲】
【請求項１】
従来の「くつしたどめ」状の、太ももを覆う、上着押さえ（１）を、脱着しやすくするため、一部を一度切り離して、その後ホック（８）かボタン（５）等で結わえた、「輪」状の上着押さえ（１）と、その上部に一部か全部、上下方向に効くゴム等を用いた紐（３ａ）、及びその先端にボタン穴（６）等を用意して、それに適応して供えられたボタン（５）等で、上着押さえ（１）とゴム等を用いた紐（３ａ）をワイシャツ等の上着（２）に繋いだ、ワイシャツ等上着押さえ（１）。
【請求項２】
請求項１の、ワイシャツ等上着押さえ（１）を、製品作成当初から備えた、上着押さえ（１）付きワイシャツ等。
【請求項３】
ワイシャツ等の上着（２）に、ズボン吊りの紐（３ｂ）を通常よりも太くして、縫い付けたり、貼り付けるなどして接着した、伸縮式洋服型ズボン吊り。
【請求項４】
ワイシャツ等の上着（２）の、ズボン吊りの紐（３ｂ）を縫い付けた部分の、裾の付近、すなわち通常のベルトの位置（４）より更に下方に、１個か複数個ボタン（５）かホック（８）状、もしくは、ボタンかホックの穴状のもの（６）を用意し、ズボンの側からもそれに対応して、それに合うように、１個か複数個ボタン（５）かホック（８）状、もしくは、ボタンかホックの穴状のもの（６）を用意した布を、ズボンに縫い付けた、伸縮式洋服型ズボン吊り。
【請求項５】
ワイシャツ等の上着（２）の通常のベルトの位置（４）と、１個か複数個のボタン（５）かホック（８）状かボタンかホックの穴状のもの（６）の間の部分に左右ではなく、上下方向に効くゴム等の帯（７）で余裕を持たせた、伸縮式洋服型ズボン吊り。
【請求項６】
より上下の服を安定させるため、ワイシャツ等の上着（２）の裾付近に設けたズボン吊り関係のボタン（５）かホック（８）状かボタンかホックの穴状のもの（６）とは別に、通常のベルトの位置（４）とゴム等の帯（７）の更に中間にも、そしてズボンの側からもそれに対応して、もう１揃えづつボタン（５）かホック（８）状かボタンかホックの穴状のもの（６）を用意した、伸縮式洋服型ズボン吊り。
【発明の詳細な説明】
【技術分野】
【０００１】  従来の「くつしたどめ」の働きを、上下反対方向に適用、利用して、ワイシャツ等の上着（２）の裾が、ズボンからはみ出しそうなときに、太ももに設けた本発明品によって、その時の体の動きにかかわらず、ワイシャツ等の上着（２）の裾を温和しくズボンの内部に保つという機能、技術に関するものと、
ズボン吊りを従来の紐状のものから、それ自体をワイシャツ等の上着（２）にすること、すなわち、従来のワイシャツ等の上着（２）とズボン吊りの紐（３ｂ）を１つのものとして、例えば縫い付けて接着し、それとズボンとの間で従来のズボンの機能、すなわち、ズボンが落ちないように、腰で支える機能、状態を保持増強しつつ、新たな、本発明品の機能として、ワイシャツ等の上着（２）の裾が、ズボンからはみ出しそうなときには、ワイシャツ等の上着（２）の下部付近の縦方向のゴムの帯（７）によって、その時の体の動きにかかわらず、ワイシャツ等の上着（２）の裾を温和しくズボンの内部に保つという機能、技術に関するものである。
【背景技術】
【０００２】  従来の技術では、ズボン吊りはあくまでズボン吊りであって、ワイシャツ等の上着の裾がズボン等からはみ出すのを押さえるといった目的、機能はなく、また、ワイシャツ等の上着それ自体とは全く別の存在であり、オーバーオールやワンピース等を除いて、両者が、たとえば縫い付けられるなど一緒にされる事はなかった。
【発明が解決しようとする課題】
【０００３】  ズボン吊りをしていると、長期的には肩等に負担がかかる。
また、背伸びや屈伸等の運動、もしくはそれに近い動きをする事によって、ワイシャツ等の裾がズボン等からはみ出しそうになる。
本発明は、この２つの欠点を解決するためになされたものである。
【課題を解決するための手段】
【０００４】  従来の「くつしたどめ」状の、太ももを覆う、出来るだけ軽く、薄い、上着押さえ（１）を、脱着しやすくするため、一部を一度切り離してその後ホック（８）かボタン（５）等で結わえた、「輪」状の上着押さえ（１）と、その上部に一部か全部、上下方向に効くゴム等を用いた紐（３ａ）、及びその先端にボタン穴（６）等を用意して、それに適応してワイシャツに供えられたボタン（５）等で、上着押さえ（１）とゴム等を用いた紐（３ａ）をワイシャツ等の上着（２）に繋ぐ。
これは、従来の「くつしたどめ」状のものの働き、機能を、上下反対方向に適用、利用したもので、ワイシャツ等の上着（２）の裾が、ズボン等からはみ出すのを押さえるといった目的がある。
そのため、本発明品は「くつしたどめ」のごとく太ももを締め付けてもよいが、締め付けなくともよい。
【０００５】  ワイシャツ等の上着（２）にズボン吊りの紐（３ｂ）を縫い付けたり、貼り付けるなどして接着する。
その際、ズボン吊りの紐（３ｂ）は通常よりも太くし、素材、色もワイシャツ等の上着（２）に合わせることを基本とするが、合わせなくてもよい。
【０００６】  ワイシャツ等の上着（２）の、ズボン吊りの紐（３ｂ）を縫い付けた部分の、裾の付近、すなわち通常のベルトの位置（４）より更に下方に、１個か複数個ボタン（５）かホック（８）状、もしくは、ボタンかホックの穴状のもの（６）を用意する。
ズボンの側からもそれに対応して、それに合うように１個か複数個ボタン（５）かホック（８）状、もしくは、ボタンかホックの穴状のもの（６）を用意する。
両者（５、６、８）は個々人のサイズに対応するため、複数個用意されるのがよいが、基本的に、強度としては１個で十分なものとし、両者（５、６、８）の数が違っても、それは個々人のサイズの違いによるものである。
またこれは、直接ズボンに縫い付けるか穴を開けてもよいが、一般的には一度そうした布をズボンに縫い付けるという形をとる。
【０００７】  ワイシャツ等の上着（２）の通常のベルトの位置（４）と、１個か複数個のボタン（５）かホック（８）状かボタンかホックの穴状のもの（６）の間の部分に、左右ではなく、上下方向に効くゴム等の帯（７）で余裕を持たせる。
【０００８】  より上下の服を安定させるため、ワイシャツ等の上着（２）の裾付近と、ズボンの側に設けたズボン吊り関係のボタン（５）かホック（８）状、もしくは、ボタンかホックの穴状のもの（６）１個か複数個とは別に、通常のベルトの位置（４）とゴム等の帯（７）の更に中間にも、そしてズボンの側からもそれに対応して、もう１揃えづつボタン（５）かホック（８）状、もしくは、ボタンかホックの穴状のもの（６）を１個か複数個用意するのが、第２案である。
本発明は、以上の構成よりなる「ワイシャツ等上着押さえ他」である。
【発明を実施するための最良の形態】
【０００９】  以下、本発明の実施の形態を説明する。
第１の本発明品のワイシャツ等の上着押さえ（１）を装着していると、普段は軽く、締め付けもないので、ほとんど装着感はなく、背伸びや屈伸等の運動、もしくはそれに近い動きをする事によって、ワイシャツ等の裾がズボン等からはみ出しそうになった時に、はじめて、太ももに装着しているので、ワイシャツ等の裾がズボン等からはみ出すのを防ぐ。【００１０】  また、第２の本発明品のワイシャツ等の上着（２）を着ていると、ズボン吊りの紐（３ｂ）がより広くとってあるので、長期的にも肩等に負担がかり難くい。
そして同じく、背伸びや屈伸等の運動でワイシャツ等の裾がズボン等からはみ出さず、一度着たら、長時間快適にきちんと過ごせる。【００１１】  最後に、第１、第２の発明から、必要に応じて必要な部分を併せ持たせること、たとえば、請求項２と３を併せて、「伸縮式ワイシャツ等上着押さえ」も可能である。
【発明の効果】
【００１２】  本発明品の第一の長所は、ワイシャツ等の裾と本件発明品かズボン等を、ボタン（５）かホック（８）等で接着することによって、背伸びや屈伸等の運動、もしくはそれに近い動きをしても、ワイシャツ等の裾がズボン等からはみ出さず、一度本発明品を着たら、長時間快適にきちんと過ごせるという点にある。
そして、第２の本発明品に限られるが、第二の長所が、ズボン吊りである。
【００１３】  第１の発明品は、結局つなぎ服に似ているが、見てのとおりズボンもしくは下着の働きはしておらず、ただ紐があるだけであり、従来のつなぎ服とは捉えられない。
【００１４】  また、第２の本発明品が、従来のズボン吊りと違うところ、それは、オーバーオールやワンピース等ではなく、外見上色の面からも、普通のワイシャツ等の上着（２）とズボンで、つなぎ服の利点が得られることであり、逆に、そのままの形で普通のワイシャツ等の上着（２）とズボンとしても、すなわち両者を繋がず、普通の上下服としても、十分もちい得るということである。
【図面の簡単な説明】
【図１】    上着押さえを装着したワイシャツ等の正面図
【図２】    ワイシャツ等上着押さえの図
【図３】    製品作成当初から上着押さえを装着したワイシャツ等の正面図１
【図４】    製品作成当初から上着押さえを装着したワイシャツ等の正面図２
【図５】    伸縮式洋服型ズボン吊りのワイシャツ等の正面図
【図６】    伸縮式洋服型ズボン吊りのズボン等の正面図
【図７】    伸縮式洋服型ズボン吊りのワイシャツ等の背面図
【図８】    伸縮式洋服型ズボン吊りのズボン等の背面図
【符号の説明】
１    上着押さえ
２    ワイシャツ等の上着
３ａ  ゴム等を用いた紐
３ｂ  ズボン吊りの紐
４    通常のベルトの位置
５    ボタン
６    ボタンの穴状のもの
７    ゴム等の帯
８    ホック
９    上下方向に作用するゴム
【図１】
2006022456.tif 000003
【図２】
2006022456.tif 000004
【図３】
2006022456.tif 000005
【図４】
2006022456.tif 000006
【図５】
2006022456.tif 000007
【図６】
2006022456.tif 000008
【図７】
2006022456.tif 000009
【図８】
2006022456.tif 000010